(57)【要約】【課題】複数チャンネルの放送番組を１台の装置で効率よく記録再生する多チャンネル記録再生装置を提供すること。【解決手段】受信したＲＦ信号をアナログ復調の各伝送帯域バンドパスフィルタ１〜４で各伝送帯域に抜き出す手段と、各伝送帯域を低い周波数帯域に変換する手段５〜８と、低い周波数帯域に変換された各伝送帯域をデジタルデータに変換する手段９〜１２と、デジタルデータを伝送帯域毎にＩＤ番号を付加し多重化する手段１３と、多重化されたデジタルデータを圧縮して記録媒体１５に記録する手段１４と、記録媒体１５から再生された圧縮データを伸張し多重化されたデータを分割化する手段１８と、分割化されたデータをデジタル処理で復調する手段１９と、を備える構成とする。【選択図】図１
2006332873.tif 000002
【特許請求の範囲】
【請求項１】
受信したＲＦ信号をアナログ復調の各伝送帯域バンドパスフィルタで各伝送帯域に抜き出す手段と、
前記各伝送帯域を低い周波数帯域に変換する手段と、
前記低い周波数帯域に変換された各伝送帯域をデジタルデータに変換する手段と、
前記デジタルデータを伝送帯域毎にＩＤ番号を付加し多重化する手段と、
前記多重化されたデジタルデータを圧縮して記録媒体に記録する手段と、
前記記録媒体から再生された圧縮データを伸張し多重化されたデータを分割化する手段と、
前記分割化されたデータをデジタル処理で復調する手段と、を備える
ことを特徴とする多チャンネル記録再生装置。
【請求項２】
請求項１において、
ＢＳデジタル、ＣＳデジタル、ＣＳ１１０度デジタル、地上デジタル等の各放送方式の入力信号を低域周波数変換する手段を備え、
前記低域周波数変換された前記各放送方式の信号が前記各伝送帯域バンドパスフィルタに入力されることを特徴とする多チャンネル記録再生装置。
【請求項３】
請求項１又は２において、
前記デジタルデータに変換された各周波数帯域を任意に選択して出力するコントロール手段を備え、
前記選択出力された周波数帯域のみが前記記録媒体に記録されることを特徴とする多チャンネル記録再生装置。
【発明の詳細な説明】
【技術分野】
【０００１】
本発明は、複数種類の信号（多チャンネル信号）を１つの記録装置および再生装置で処理する装置に係わり、特に、複数のテレビ信号を１台のデータ記録再生装置で記録または再生する装置に関する。
【背景技術】
【０００２】
近年、利便性や画質の向上が可能なハードディスクドライブ（ＨＤＤ）を使用したマルチ番組記録再生ができる装置として、図４に示すような構成が提案されている。図４において、入力されたＲＦ信号はチューナ１００，１０１，１０２と放送局毎にチューナが用意され復調され、復調されたアナログ信号はデジタルデータに変換するためＡ／Ｄ１０３，１０４，１０５に入力され、多重化処理を行うＭＵＸ１０６に入力され、その後、記録媒体１０７に記録される。
【０００３】
記録媒体１０７から再生された信号はＤＥＭＵＸに入力されチャンネル毎に分割され、Ｄ／Ａ変換器１０９，１１０，１１１でアナログ信号に変換される。チャンネル選択１１２で使用者がチャンネルを選択し、選択されたチャンネルはＴＶモニタ１１３で視聴可能となる。
【０００４】
また、多チャンネル同時記録装置の従来技術として、例えば、特許文献１において、図５に示すような装置が提案されている。特許文献１に開示の技術によると、複数チャンネルの放送番組を受信して動画と音声を原情報とするテレビ信号を発生するチューナ１２０から出力したアナログのテレビ信号をチャンネル選択１２１にて必要なチャンネル分（放送局分）のテレビ信号を選択する。この複数のチャンネル分のテレビ信号をＡＤ変換器１２２，１２３，１２４でデジタル信号にＡＤ変換する。このＡＤ変換器が出力した複数のデジタル信号は、ＩＤ番号を付加し且つ付加されたＩＤ毎に格納先を振り分けパケット変換を行うためのＩＤパケット付加１２５に入力される。ＩＤパケット付加１２５から出力された信号はパケット毎に区分を定めて記録媒体１２６に格納する。
【０００５】
再生時はパケットをヘッダ内のアドレスをたどって読み揃え、情報ブロックを系統別に元と同じデジタル信号につなぎ合わせるためＩＤパケット交換１２７に入力し、ここから出力されたデータはＤＡ変換器１２８，１２９，１３０でアナログ信号に変換されチャンネル選択１３１でチャンネルが選択されてＴＶモニタ１３２で使用可能となる。このようにして、多チャンネル同時録画装置を提供している。
【特許文献１】特開２００３−１２５３３２号公報
【発明の開示】
【発明が解決しようとする課題】
【０００６】
上述したように、ＨＤＤに多チャンネル記録再生を行うシステムは幾つか提案されているが、図４と図５に示すような従来技術では、複数のＡＤ変換器を備えること、または複数のチューナ及びＡＤ変換器を備えることで多チャンネル記録に対応している。このため、多チャンネル記録を行うにはチャンネル分のチューナやＡＤ変換器が必要であり、それに伴い回路規模も大きくなり、コスト上昇の原因となる等の課題が生じている。
【０００７】
本発明は、上述した課題を解決するものであり、複数チャンネルの放送番組を１台の装置で効率よく記録再生する多チャンネル記録再生装置を提供するものである。
【課題を解決するための手段】
【０００８】
前記課題を解決するために、本発明は次のような構成を採用する。  
受信したＲＦ信号をアナログ復調の各伝送帯域バンドパスフィルタで各伝送帯域に抜き出す手段と、前記各伝送帯域を低い周波数帯域に変換する手段と、前記低い周波数帯域に変換された各伝送帯域をデジタルデータに変換する手段と、前記デジタルデータを伝送帯域毎にＩＤ番号を付加し多重化する手段と、前記多重化されたデジタルデータを圧縮して記録媒体に記録する手段と、前記記録媒体から再生された圧縮データを伸張し多重化されたデータを分割化する手段と、前記分割化されたデータをデジタル処理で復調する手段と、を備える構成とする。
【０００９】
また、前記多チャンネル記録再生装置において、ＢＳデジタル、ＣＳデジタル、ＣＳ１１０度デジタル、地上デジタル等の各放送方式の入力信号を低域周波数変換する手段を備え、前記低域周波数変換された前記各放送方式の信号が前記各伝送帯域バンドパスフィルタに入力される構成とする。
【００１０】
また、前記多チャンネル記録再生装置において、前記デジタルデータに変換された各周波数帯域を任意に選択して出力するコントロール手段を備え、前記選択出力された周波数帯域のみが前記記録媒体に記録される構成とする。
【発明の効果】
【００１１】
本発明によると、入力されたＲＦ信号を各周波数帯域に分割し、低域周波数変換を行った後にデジタルデータに変換して信号処理を行うため、全チャンネルがデジタルデータとして記録媒体に記録されので、符号圧縮技術を使用でき、さらに記録容量の低減が可能である。これによって、記録媒体が大容量であれば１日分の全チャンネルを記録再生することが可能となる。また、全チャンネルを記録するのではなく使用者が任意のチャンネルを選択すれば数日分の放送を記録再生することも可能である。
【００１２】
また、ＢＳデジタル放送やＣＳデジタル、１１０度ＣＳデジタル、地上デジタル放送もアンテナからの入力をＶＨＦからＵＨＦ帯域の空き帯域に周波数変換することで大幅な回路追加は必要なく多チャンネルの記録再生が可能となる。
【００１３】
さらに、ケーブルテレビ（ＣＡＴＶ）の放送は周波数帯域がＶＨＦからＵＨＦであるためそのままの信号処理が可能であり、多チャンネルの記録再生が可能となる。
【発明を実施するための最良の形態】
【００１４】
本発明の実施形態に係る多チャンネル記録再生装置について、図１〜図３を参照しながら以下詳細に説明する。図１は本発明の第１の実施形態に係る多チャンネル記録再生装置の全体構成を示すブロック図である。図２は本発明の第２の実施形態に係る多チャンネル記録再生装置の全体構成を示すブロック図である。図３は本発明の第１の実施形態に係る多チャンネル記録再生装置における記録系信号処理の流れを示す説明図である。
【００１５】
図面において、１，５１はＶＨＦ帯バンドパスフィルタ、２，５２はＭＩＤ帯バンドパスフィルタ、３，５３はＳＨＢ帯バンドパスフィルタ、４，５４はＵＨＦ帯バンドパスフィルタ、５〜８，５５〜５８は低域周波数変換部、１６，６６はアドレスコントロール部、１３，６３はＭＵＸ、１８，６８はＤＥＭＵＸ、１９，６９はデジタル復調回路、２１はＤ／Ａ変換器、２２はＴＶモニタ、５０は帯域変換ＭＩＸ、をそれぞれ表す。
【００１６】
図１において、入力されたＲＦ信号は、ＶＨＦ（Ｖｅｒｙ  Ｈｉｇｈ  Ｆｒｅｑｕｅｎｃｙ）帯域、ＭＩＤ（Ｍｉｄ  Ｂａｎｄ）帯域、ＳＨＢ（Ｓｕｐｅｒ  Ｈｉｇｈ  Ｂａｎｄ）帯域、ＵＨＦ（Ｕｌｔｒａ  Ｈｉｇｈ  Ｆｒｅｑｕｅｎｃｙ）帯域を抜き出すために、ＶＨＦ帯域ＢＰＦ１、ＭＩＤ帯域ＢＰＦ２、ＳＨＢ帯域ＢＰＦ３、ＵＨＦ帯域ＢＰＦ４それぞれに入力され、ＶＨＦ（９０ＭＨｚから１０７ＭＨｚと１７０ＭＨｚから２２１ＭＨｚ）、ＭＩＤ（１０８ＭＨｚから１６９ＭＨｚ）、ＳＨＢ（２２２ＭＨｚから４６９ＭＨｚ）、ＵＨＦ（４７０ＭＨｚから７７０ＭＨｚ）の周波数帯域が抜き出される。
【００１７】
この抜き出された各周波数帯域信号は後段の信号処理の負担を軽くするために低い周波数帯域に変換する低域周波数変換部５，６，７，８に入力される。低域周波数変換部はＶＨＦ，ＭＩＤ，ＳＨＢ，ＵＨＦそれぞれに対応して帯域が重ならない様に変換する。帯域低域周波数変換された各周波数帯域信号はここでデジタルデータに変換するためＡ／Ｄ変換器９，１０，１１，１２に入力される。デジタルデータに変換された各周波数帯域信号は各周波数帯域を識別するためのＩＤ番号を付加し多重化するためのＭＵＸ１３に入力される。
【００１８】
ＭＵＸ１３で付加するＩＤ番号は例えばＶＨＦの１ｃｈならＩＤ００１，３ｃｈならＩＤ００３としてもよい。このＩＤ番号はシステムにあわせて数種類の組み合わせを考慮して割り当てれば効率よくデータの処理を行うことができる。これはアドレスコントロール部１６から制御され適切なＩＤ番号が付加される。また全ての各周波数帯域デジタルデータをＭＵＸ１３から出力する必要はなく、使用者が任意の各周波数帯域デジタルデータだけ出力できるようにアドレスコントロール部１６から制御しても良い（後述する図３の（ｃ）を参照すると、ＩＤ番号の付加された各周波数帯域の全てをＭＵＸ１３から出力するまでもなく、任意の周波数帯域のデジタルデータのみを出力して記録するようにしてもよい）。
【００１９】
多重化された各周波数帯域デジタル信号は記録媒体１５に効率よく記録するため、さらに符号圧縮するため圧縮部１４に入力される。符号圧縮方式は数々の方式が検討されておりシステムにあった方式を採用すればよい。符号圧縮され周波数帯域も低くなったデジタルのＲＦ信号は記録媒体１５に記録される。記録媒体１５はＨＤＤを想定しているが今後、半導体メモリーの大容量化が進むことも予想されるためＨＤＤに限ったものではない。
【００２０】
記録媒体１５から再生されたデジタルＲＦ信号は、伸張部１７に入力され符号処理にて伸張された後、多重化されたデータを分割するためのＤＥＭＵＸ１８に入力されてＭＵＸ１３で付加されたＩＤ番号を参照して、ＶＨＦ帯、ＭＩＤ帯、ＳＨＢ帯、ＵＨＦ帯に分割される。分割化された各周波数帯域のデジタルデータはデジタル信号のままアナログのＲＦ復調器と同等の処理が可能なデジタル復調回路１９に入力され各チャンネルが復調される。
【００２１】
復調された各チャンネルはチャンネル選択２０に入力されてチャンネルが選択され、デジタルデータをアナログに変換するＤ／Ａ変換器２１に入力される。アナログ化されたチャンネルはＴＶモニタ２２に入力され視聴が可能となる。チャンネル選択部２０から出力されるデジタルデータはデジタル入力可能なＴＶモニタ２２に方式変換して入力すればアナログノイズの無い視聴が可能である。
【００２２】
次に、図２を参照して本発明の第２の実施形態に係る多チャンネル記録再生装置を説明する。図２は、アナログ地上波以外のＢＳデジタル放送、ＣＳデジタル放送、ＣＳ１１０度デジタル放送、地上デジタル放送に対応した第２の実施形態に係る多チャンネル記録再生装置の構成を示す図である。
【００２３】
アナログ地上波以外の放送（例えば、ＢＳデジタル、ＣＳデジタル、ＣＳ１１０度デジタル、地上デジタル）は、帯域変換ＭＩＸ５０においてＶＨＦからＵＨＦの空き帯域（図１の各伝送帯域ＢＰＦ１〜４に対応する帯域の空き帯域）に全て変換される。例えば、ＢＳデジタル放送は１ＧＨｚ帯をＳＨＢ帯に周波数変換する。地上デジタル放送はＵＨＦ帯であり変換の必要は無いが、例えばＭＩＤ帯への周波数変換も可能である。変換された信号はその後、図１の説明の通りに処理されるためチャンネル数が増えても大幅な回路追加は必要とせず多チャンネル記録再生が可能となる。
【００２４】
次に、図３を参照して本発明の第１の実施形態に係る多チャンネル記録再生装置における記録系信号処理の流れを説明する。図３の（ｂ）に示す低域周波数変換は、ＲＦ信号（ａ）からＶＨＦ〜ＵＨＦの周波数帯域を各ＢＰＦ１，２，３，４で抜き出して周波数変換５，６，７，８で周波数変換したものである。この際、それぞれの周波数帯域を適当な帯域変換して帯域幅を狭くしている。図３の（ｃ）に示すＩＤ付加データは、ＭＵＸ１３にてＩＤが付加される。図３の（ｄ）に示すデジタル圧縮は、圧縮部１４で圧縮されて記録媒体１５に送られるデータである。
【００２５】
以上説明したように、本発明の実施形態に係る多チャンネル記録再生装置は、次のような構成を有するとともに、機能ないし作用を奏することを特徴としている。すなわち、受信したＲＦ信号をアナログ復調各伝送帯域のバンドパスフィルタ（ＢＰＦ）で各伝送帯域を抜き出す手段と、それぞれの伝送帯域を低い周波数帯域に変換する手段と、低い周波数帯域に変換された各伝送帯域をデジタルデータに変換する手段と、前記デジタルデータを伝送帯域毎にＩＤ番号を付加し多重する手段と、前記多重されたデジタルデータを圧縮しデータ記録媒体に記録する手段と、前記記録媒体から再生された圧縮データを伸張し多重化されたデータを分割する手段と、前記分割化されたデータをデジタル処理で復調する手段と、を備える構成である。
【００２６】
換言すると、本実施形態の概要は次のようなものである。地上デジタルを含むＲＦ信号をこのＲＦ帯域の２倍以上のクロックでＡ／Ｄ変換し、各チャンネルの伝送波を重ならないように低周波に周波変換する。さらに、効率のよい符号化変換を行い、ＶＨＦ，ＵＨＦ，ＭＩＤ，ＳＨＢ帯域を全て記録メディアに記録する。再生はこの逆の処理を行うことで元のＲＦ信号が復元する。この復元ＲＦ信号を復調器に入力することでアンテナ入力と同じこととなり全チャンネルの再生が可能となる。また、アナログのＲＦ信号に戻さずにデジタルのまま処理することも可能である。
【００２７】
そして、このような構成を備えることによって、本発明の実施形態は、入力されたＲＦ信号を各周波数帯域に分割し、低域周波数変換を行った後にデジタルデータに変換して信号処理を行うため、全チャンネルがデジタルデータとして記録媒体に記録される。また、デジタルデータであるため符号圧縮技術を使用でき、さらに記録容量の低減が可能である。これによって、記録媒体が大容量であれば１日分の全チャンネルを記録再生することが可能となる。このようにして、本実施形態では複数個のチューナ及びＡＤＣ（Ａ／Ｄ変換器）が不要であり、全てのチャンネルを記録再生できることにより、記録メディアの容量次第では２４時間全チャンネル記録再生が可能となる。また、ＡＤＣ以後はデジタルで信号処理ができるのでコストや回路調整も有利である。
【図面の簡単な説明】
【００２８】
【図１】本発明の第１の実施形態に係る多チャンネル記録再生装置の全体構成を示すブロック図である。
【図２】本発明の第２の実施形態に係る多チャンネル記録再生装置の全体構成を示すブロック図である。
【図３】本発明の第１の実施形態に係る多チャンネル記録再生装置における記録系信号処理の流れを示す説明図である。
【図４】第１の従来技術に関する多チャンネル記録再生装置の構成を示す図ロック図である。
【図５】第２の従来技術に関する多チャンネル記録再生装置の構成を示す図ロック図である。
【符号の説明】
【００２９】
１，５１  ＶＨＦ帯バンドパスフィルタ
２，５２  ＭＩＤ帯バンドパスフィルタ
３，５３  ＳＨＢ帯バンドパスフィルタ
４，５４  ＵＨＦ帯バンドパスフィルタ
５〜８，５５〜５８  低域周波数変換部
１６，６６  アドレスコントロール部
１３，６３  ＭＵＸ
１８，６８  ＤＥＭＵＸ
１９，６９  デジタル復調回路
２０  チャンネル選択部
２１  Ｄ／Ａ変換器
２２  ＴＶモニタ
５０  帯域変換ＭＩＸ
【図１】
2006332873.tif 000003
【図２】
2006332873.tif 000004
【図３】
2006332873.tif 000005
【図４】
2006332873.tif 000006
【図５】
2006332873.tif 000007